(57)【要約】【課題】  簡単かつ迅速に発送伝票を作成することができるようにする。【解決手段】  ツアー客が土産物店で商品を購入し、名札１００を提示すると、二次元コードスキャナ２２により、名札１００に二次元コードによって記録されているお届け先の情報が読み取られ、端末２１の表示装置の画面にお届け先の一覧が表示される。ツアー客がお届け先の一覧から１または複数の所望のお届け先を選択すると、プリンタ２３により、ツアー客によって選択されたお届け先が印字された発送伝票が発行される。土産物店はこの発送伝票を商品に貼付して上記お届け先に発送する。【選択図】  図３
2005038274.tif 000002
【特許請求の範囲】
【請求項１】
所定の記録媒体に記録された情報に基づいて発送伝票を発行する発送伝票発行システムであって、
前記記録媒体に記録された前記情報を読み取る読み取り手段と、
前記読み取り手段によって読み取られた前記情報を表示する表示手段と、
前記表示手段によって表示された前記情報の中から１または複数の所定のものを選択する選択手段と、
前記選択手段によって選択された前記情報の１または複数の所定のものに基づいて、前記発送伝票に、少なくとも前記情報の１または複数の所定のものを順次印字する発送伝票印字手段と
を備えることを特徴とする発送伝票発行システム。
【請求項２】
前記発送伝票に印字すべき前記情報を入力する入力手段と、
前記入力手段によって入力された前記情報を記憶する記憶手段と、
前記記憶手段によって記憶された前記情報を前記記録媒体に記録する記録手段と
をさらに備えることを特徴とする請求項１に記載の発送伝票発行システム。
【請求項３】
前記情報は所定のお届け先の情報であり、前記情報に対応する識別コードが前記記録媒体に記録される
ことを特徴とする請求項１または２に記載の発送伝票発行システム。
【発明の詳細な説明】
【技術分野】
【０００１】
本発明は、発送伝票発行システムに関し、特に、購入した商品を発送するための発送伝票を発行する発送伝票発行システムに関するものである。
【背景技術】
【０００２】
従来、旅行のお土産を購入する際の一形態として、旅行を申し込んだユーザ（申込ユーザ）に対して公衆回線を通じて提供した商品（お土産）情報に基づき、予め商品（お土産）を予約するようなことが行われている（例えば、特許文献１、特許文献２参照）。
特許文献１の発明は、旅行スケジュールに基づいて、旅行スケジュールのコースに含まれる各地点でのお土産情報などを公衆回線を通じて申込ユーザに対して提供するので、仮想旅行を体験しながら、お土産や各地の名産品等を購入することができるという長所がある。
また、特許文献２の発明は、特許文献１の発明の場合と同様に、旅行中に友人や知人へのお土産が増えても、ホームページにアクセスして発注することにより、旅行中にお土産を所持し続ける煩わしさから開放されるとともに、旅行終了時（或いは配送予定日）には、自宅にお土産が到着しているので、自ら友人や知人に手渡すことができるという長所がある。
【特許文献１】特開２００１−２４４３６０号公報
【特許文献２】特開２００２−９９７６６号公報
【発明の開示】
【発明が解決しようとする課題】
【０００３】
解決しようとする問題点は、旅行先等においてお土産等の商品の発送を簡単かつ迅速に行うことができない点である。
【課題を解決するための手段】
【０００４】
請求項１に記載の発送伝票発行システムは、所定の記録媒体に記録された情報に基づいて発送伝票を発行する発送伝票発行システムであって、記録媒体に記録された情報を読み取る読み取り手段と、読み取り手段によって読み取られた情報を表示する表示手段と、表示手段によって表示された情報の中から１または複数の所定のものを選択する選択手段と、選択手段によって選択された情報の１または複数の所定のものに基づいて、発送伝票に、少なくとも情報の１または複数の所定のものを順次印字する発送伝票印字手段とを備えることを特徴とする。
また、発送伝票に印字すべき情報を入力する入力手段と、入力手段によって入力された情報を記憶する記憶手段と、記憶手段によって記憶された情報を記録媒体に記録する記録手段とをさらに備えるようにすることができる。
また、情報は所定のお届け先の情報であり、情報に対応する識別コードが記録媒体に記録されるようにすることができる。
【発明の効果】
【０００５】
本発明に係る発送伝票発行システムによれば、所定の記録媒体に記録された情報を読み取って表示し、表示した情報の中から１または複数の所定のものを選択し、選択した情報を発送伝票に順次印字するようにしたので、お届け先の住所、氏名、電話番号等の情報をその都度手書きで記入することなく発送伝票を短時間で作成し、簡単に商品を所望のお届け先に発送することができる。これにより、商品発送にかかる時間を節約することができ、ゆとりのある旅行が可能となる。
また、情報に対応する例えば二次元コード等の識別コードが記録媒体に記録されるようにすれば、安価な装置で情報を記録媒体に記録することができる。
【発明を実施するための最良の形態】
【０００６】
本発明の発送伝票発行システムは、二次元コードを用いて、観光地等の外出先において、客が購入したお土産等の商品のお届け先等を印刷した発送伝票を簡単かつ迅速に発行するためのものである。
【０００７】
以下、本発明の概要について説明する。ここでは、ある旅行会社のツアーに参加しているツアー客が観光地の土産物店でお土産を購入し、購入したお土産を知人宛に発送するものとする。旅行会社は、予め、ツアー客に、お土産を発送すると思われるお届け先の情報（住所、氏名、電話番号等の情報）を所定の申込用紙に記入してもらう。申込用紙には、お届け先の情報を記入するための複数の「お届け先」欄を設けておく。
【０００８】
出発までに、ツアー客用に、ツアー客の名前等を印字し、お届け先の情報を二次元コードによって記録した名刺大の大きさの名札をツアー客毎に発行し、各ツアー客毎に、お届け先の一覧を印字発行する。また、全ツアー客のお届け先の一覧をツアー客毎に印字したものを発行し、添乗員に配布する。
【０００９】
旅行当日、上記名札とともに、ツアー客が申込時に予め記入したお届け先の一覧を各ツアー客に配布するとともに、旅行先で立ち寄る土産物店からお届け先の一覧にあるお届け先へ土産物を宅配便で送りたい場合には発送伝票の記入は不要である旨、アナウンスしておく。
【００１０】
土産物店では、ツアー客がお土産を購入し、お届け先の一覧にあるお届け先にそのお土産を宅配便で発送したいとき、土産物店に設置された端末を用いて、そのツアー客が提示した名札に二次元コードで記録されているお届け先の情報を読み取り、所定の画面に表示する。ツアー客が画面に表示されたお届け先の一覧を見て、所望のお届け先（１箇所または複数箇所）を指定すると、指定されたお届け先の住所、氏名、電話番号等が印字された発送伝票が発行される。土産物店は、その発送伝票をツアー客が購入した商品に貼付し、その他の未記入欄等に保険金や到着予定日等を必要に応じて手書きで記入した上で発送する。
【００１１】
次に、図１乃至図５を参照して、本発明の構成および動作について詳細に説明する。図１は、旅行業者側のシステム１０の構成例を示している。同図に示すように、本システム１０は、パーソナルコンピュータ等からなる端末１１と、名札１００に二次元コードによって記録された情報を読み取る二次元コードスキャナ１２と、所定の用紙に各ツアー客毎のお届け先一覧や全ツアー客のお届け先一覧を印字したり、名札１００を発行するプリンタ１３とから構成されている。二次元コードスキャナ１２は、名札１００に二次元コードによって記録された情報が正常に読み取り可能であるか否かをチェックする目的で使用される。
【００１２】
図２は、名札１００の例を示している。名札１００には、例えば、ツアーの名称（この例では、サトー旅行）と、文字列「搭乗者証」と、ツアーに参加したツアー客の名前（この例では、佐藤太郎）と、ツアーのコース番号およびコース名（この例では、コースＮｏ．１２  古都紫陽花巡りツアー）と、ご旅行日（この例では、２００３年６月７日（土））と、ご出発地（この例では、新宿）と、ご乗車バス（この例では、○号車）と、ツアーを主催した旅行業者名（この例では、サトー観光株式会社）が印字され、ツアー客が予め申込用紙に記入した１または複数のお届け先の情報（住所、氏名、電話番号等の情報）が二次元コードによって記録される。また、お届け先の情報の他に、名札１００を所持するツアー客自身の情報（住所、氏名、電話番号等の情報）を二次元コードによって記録しておくこともできる。さらに、旅行業者のＩＤと、旅行日と、コース番号等を印字することもできる。
【００１３】
図３は、土産物店側のシステム２０の構成例を示している。同図に示すように、本システム２０は、パーソナルコンピュータ等からなる端末２１と、名札１００に二次元コードによって記録された情報を読み取る二次元コードスキャナ２２と、プリンタ２３とから構成されている。
【００１４】
次に、図４のフローチャートを参照して、旅行業者側のシステム１０の動作について説明する。まず最初に、ステップＳ１において、端末１１の図示せぬ制御部は、旅行業者側の担当者が図示せぬキーボード等を操作して入力した、各ツアー客が予め申込用紙に記入した内容（お届け先の情報）を図示せぬ記憶装置に供給し、記憶させる。また、記憶装置には、ツアー客の住所、氏名、電話番号等の顧客情報や、ツアーに関する情報（ツアーの名称、コース番号とコース名、旅行日、出発地、乗車バス、ツアーを主催した旅行業者の名称）も予め記憶されている。
【００１５】
次に、ステップＳ２において、端末１１の制御部は、各ツアー客の名札１００に印字すべきデータを記憶装置から読み出して編集し、プリンタ１３に供給する。プリンタ１３は、端末１１より供給されたデータを所定の用紙に印字し、名札１００を発行する。上述したように、名札１００には、例えば、ツアーの名称と、文字列「搭乗者証」と、ツアーに参加したツアー客の名前と、ツアーのコース番号およびコース名と、ご旅行日と、出発地と、乗車バスと、ツアーを主催した旅行業者名が印字され、ツアー客が予め申込用紙に記入した１または複数のお届け先の情報（住所、氏名、電話番号等の情報）が二次元コードによって記録される。さらに、依頼主としてのツアー客自身の情報（住所、氏名、電話番号等の情報）と、旅行業者のＩＤと、旅行日と、コース番号等を印字することもできる。
【００１６】
次に、ステップＳ３において、端末１１の制御部は、記憶装置から読み出した各ツアー客毎のお届け先一覧のデータを編集してプリンタ１３に供給し、所定の用紙に各ツアー客毎にお届け先一覧を印字する。次に、全ツアー客のお届け先一覧を所定の用紙に印字する。その後、本処理を終了する。各ツアー客毎に印字したお届け先一覧は、各ツアー客に配布される。また、全ツアー客のお届け先一覧は添乗員に配布される。
【００１７】
次に、図５のフローチャートを参照して、土産物店側のシステム２０の動作について説明する。まず最初に、ステップＳ１１において、土産物店の土産物を購入したツアー客が提示した名札１００を二次元コードスキャナ２２により走査（スキャン）すると、名札１００に二次元コードによって記録された情報が読み取られる。読み取られた情報は、端末２１の図示せぬ制御部に供給される。
【００１８】
端末２１の制御部は、二次元コードスキャナ２２より供給された情報を受け取ると、一旦図示せぬ記憶装置に供給し、記憶させる。この情報は、上述したように、この名札１００を所持するツアー客が予め申込用紙に記入したお届け先の情報（住所、氏名、電話番号等の情報）である。次に、ステップＳ１２において、端末２１の制御部は、記憶装置に記憶された上記情報を読み出し、端末２１の表示装置の画面に表示する。
【００１９】
この表示装置の画面に表示されたお届け先の情報は、図示せぬマウス等を用いて選択することができるようになっている。例えば、マウスを操作して画面上に表示されているカーソルを所定のお届け先の上に移動させ、クリック操作を行うことにより、そのお届け先を選択することができる。複数のお届け先を選択する場合には同様の操作を繰り返す。画面上には、お届け先の情報を１つずつ表示することもできるし、複数のお届け先の情報を同時に表示することもできる。
【００２０】
次に、ステップＳ１３において、端末２１の制御部により、お届け先が選択されたか否かが判定される。その結果、お届け先が選択されていないと判定された場合、ステップＳ１３の処理が繰り返し実行される。一方、お届け先が選択されたと判定された場合、ステップＳ１４に進む。
【００２１】
ステップＳ１４においては、端末２１の制御部により、ステップＳ１３において選択されたお届け先、依頼主等の情報を記憶装置から読み出して、発送伝票のフォーマットで印字可能な印字データを作成し、プリンタ２３に供給する。プリンタ２３は、端末２１の制御部より供給された印字データに基づいて発送伝票のお届け先欄にお届け先の住所、氏名、電話番号等を印字し、依頼主の欄に依頼主であるツアー客の住所、氏名、電話番号を印字し、品名欄にツアー客が購入したお土産物の品名を印字し、発送伝票を発行する。複数のお届け先が選択された場合には、同様の処理が繰り返し実行され、選択されたお届け先に対応する発送伝票が発行される。
【００２２】
次に、ステップＳ１５において、制御部により、端末２１の電源がオフされるなどして処理の終了が指示されたか否かが判定される。その結果、処理の終了が指示されていないと判定された場合、ステップＳ１１に戻り、ステップＳ１１以降の処理が繰り返し実行される。一方、処理の終了が指示されたと判定された場合、本処理を終了する。
【００２３】
以上説明したように、本実施の形態により、ツアーに参加したツアー客等が、旅行先のお土産物店で買い物をし、自宅または友人や親戚等に配送する場合、名札１００を土産物店に提示するだけよく、従来のように、その都度、発送伝票にお届け先の住所、氏名、電話番号等と依頼主の住所、氏名、電話番号等を手書きで記入するといった面倒な作業が不要となる。これにより、ツアー客は、発送伝票に必要事項を記入する時間を節約することができるので、買い物や観光により多くの時間を当てることができ、余裕のある旅行をすることができる。
【００２４】
また、発送伝票に記入ミスが無くなり、より確実に商品をお届け先に発送することができる。また、お届け先の情報が名札１００に二次元コードによって記録されるため、お届け先の情報を簡単に盗み見ることができなくなり、プライバシーの保護にもつながる。
【００２５】
また、二次元コードによって情報の授受を行うので、従来のように、旅行業者、土産物店、宅配業者の間をネットワークでつないだ大規模な情報管理システムを構し、そのネットワークを介して各種情報の授受を行う必要がなくなる。そのため、必要最小限の機器構成で、名札１００を発行し、名札１００に二次元コードによって記録された情報を読み出して必要事項を印字した発送伝票を発行することが可能となり、設備投資に伴う負担を軽減することができる。
【００２６】
なお、上記実施の形態においては、識別コードを二次元コードとしたがこれに限定されるものではない。また、上記実施の形態においては、お届け先情報が記録された二次元コードを名札１００に表示した例について説明したが、これに限定されないことは勿論であり、携帯可能なカードでも構わない。例えば、ＩＣカードや磁気カード等にお届け先情報を記録するようにしてもよい。
【００２７】
また、上記実施の形態の構成及び動作は例であって、本発明の趣旨を逸脱しない範囲で適宜変更することができることは言うまでもない。
【図面の簡単な説明】
【００２８】
【図１】本発明の発送伝票発行システムを応用した旅行業者側のシステムの構成例を示す図である。
【図２】名札の印字例を示す図である。
【図３】本発明の発送伝票発行システムを応用した土産物店側のシステムの構成例を示す図である。
【図４】旅行業者側のシステムの動作を説明するためのフローチャートである。
【図５】土産物店側のシステムの動作を説明するためのフローチャートである。
【符号の説明】
【００２９】
１０  旅行業者側のシステム
１１，２１  端末
１２，２２  二次元コードスキャナ
１３，２３  プリンタ
２０  土産物店側のシステム
１００  名札
【図１】
2005038274.tif 000003
【図２】
2005038274.tif 000004
【図３】
2005038274.tif 000005
【図４】
2005038274.tif 000006
【図５】
2005038274.tif 000007